(57)【特許請求の範囲】
【請求項１】
矩形又は正方形として形成される第１パネル（１）と第２パネル（２）とを備えた家具部品である一組のパネル（１、２）であって、前記第１パネルと前記第２パネルとの機械的連結を得るように前記第２パネル（２）のパネル縁部（１２）は前記第１パネル（１）のコア溝部（６）に挿入可能であり、前記第１及び第２パネルが互いに本質的に直交して配設されているときの前記第１及び第２パネルの本質的に直線的な相対移動によって、前記パネル縁部（１２）は前記コア溝部（６）に挿入可能である、一組のパネルであって、
前記パネル縁部（１２）は別箇の可撓性舌部（３）を備えるとともに、前記コア溝部（６）は舌部用溝部（５）を備えており、
前記第１パネルの上側面（１ｂ）に対応する前記第１パネルの主面（ＭＰ−１）に対して直交する第１方向においてパネルを互いに連結するように、前記別箇の可撓性舌部（３）は前記舌部用溝部（５）に挿入可能であり、
前記第２パネルの下側面（２ａ）に対応する前記第２パネルの主面（ＭＰ−２）に対して直交する第２方向において前記パネルを互いに連結するように、前記第２パネル（２）の前記パネル縁部（１２）は、前記第１パネル（１）の前記コア溝部（６）に挿入されるように構成されており、
前記別箇の可撓性舌部（３）の長手方向は、前記パネル縁部（１２）及び／又はコア溝部（６）に対して平行に延在しており、
前記別箇の可撓性舌部（３）は挿入溝部（４）に配設されていて、前記第１及び第２パネルの係止中に、前記挿入溝部（４）の底部に向かって内方に、そして前記舌部用溝部（５）内へと外方に移動可能であり、
前記別箇の可撓性舌部（３）を前記挿入溝部（４）の底部に向かって内方に移動させつつ前記第１及び第２パネルを係止する際に、前記コア溝部（６）の係合部（２０）が、前記別箇の可撓性舌部（３）と係合するように配設されており、前記係合部（２０）は勾配を付けられているか、又は、丸められている、
ことを特徴とする一組のパネル。
【請求項２】
前記係合部（２０）は前記第１パネル（１）の上部（３０）に設けられ、前記上部（３０）は、前記第１パネル（１）の中央部（３２）よりも高い密度を有している、
請求項１に記載の一組のパネル。
【請求項３】
前記係合部（２０）は、前記コア溝部（６）の側壁（６ａ）と前記第１パネル（１）の下側面（１ａ）又は上側面（１ｂ）との間に設けられている、
請求項１又は２に記載の一組のパネル。
【請求項４】
前記第２パネル（２）は、前記第１パネル（１）及び第２パネル（２）の係止状態において前記係合部（２０）と係合するように構成された重複部（２４）を備えている、
ことを特徴とする請求項１乃至３のいずれかに記載の一組のパネル。
【請求項５】
前記第２パネル（２）は、前記第１パネル（１）及び第２パネル（２）の係止状態において、前記第１パネル（１）に設けられた勾配部（２７）と係合するように構成された重複部（２５）をさらに有する、
ことを特徴とする請求項４に記載の一組のパネル。
【請求項６】
前記第１パネル（１）と前記第２パネル（２）の係止状態において、前記コア溝部（６）の内側に位置する前記第２パネル（２）の前記パネル縁部（１２）の厚さは、前記第２パネル（２）の、前記第１パネル（１）と前記第２パネル（２）の係止状態において前記コア溝部（６）の外側に位置する可視部より小さい、
請求項１乃至５のいずれかに記載の一組のパネル。
【請求項７】
前記パネル縁部（１２）の下縁側面（２２ａ）と平行上縁側面（２２ｂ）との間の距離が、下側面（２ａ）と平行上側面（２ｂ）との間の距離より小さく、前記下縁側面（２２ａ）及び前記上縁側面（２２ｂ）は、前記下側面（２ａ）及び前記上側面（２ｂ）よりも前記第２パネル（２）の側縁（２ｃ）に近接して配置されている、
請求項１乃至６のいずれかに記載の一組のパネル。
【請求項８】
前記挿入溝部（４）は、前記パネル縁部（１２）の前記下縁側面（２２ａ）に又は前記上縁側面（２２ｂ）に設けられている、
請求項７に記載の一組のパネル。
【請求項９】
前記舌部用溝部（５）は、前記コア溝部（６）の側壁（６ａ）に設けられる、
請求項１乃至８のいずれかに記載の一組のパネル。
【請求項１０】
前記舌部用溝部（５）は、前記コア溝部（６）の一方側に配置された、前記第１パネル（１）の一方側部（２１ａ）に設けられ、前記舌部用溝部（５）は、２つの平行な側壁部（５ａ，５ｂ）と、底壁（５ｃ）とを有し、下側の前記側壁部（５ｂ）の延長直線（Ｅ）が、前記コア溝部（６）の他方側に配置された、前記第１パネル（１）の他方側部（２１ｂ）において又はその上方に配置されている、
請求項９に記載の一組のパネル。
【請求項１１】
前記別箇の可撓性舌部（３）は、前記別箇の可撓性舌部（３）が前記挿入溝部（４）に挿入された際に、下方を向くように構成された面取部（２３）を有し、
前記別箇の可撓性舌部（３）はさらに、前記挿入溝部（４）に部分的に挿入され、且つ、本質的に直線的な相対移動中に、前記面取部（２３）が前記係合部（２０）に係合すると、前記挿入溝部（４）の内部へ移動するように構成されている、
請求項１乃至１０のいずれかに記載の一組のパネル。
【請求項１２】
前記コア溝部（６）は、前記側壁（６ａ）と前記底壁（６ｃ）との間、及び、前記側壁（６ｂ）と前記底壁（６ｃ）との間に、傾斜部（１６）を有する、
請求項１乃至１１のいずれかに記載の一組のパネル。
【請求項１３】
前記パネル縁部（１２）は、下縁側面（２２ａ）と前記第２パネル（２）の側縁（２ｃ）との間の勾配部（２６）と、上縁側面（２２ｂ）と前記第２パネル（２）の側縁（２ｃ）との間の勾配部（２６）と、を有する、
請求項１２に記載の一組のパネル。
【請求項１４】
前記別箇の可撓性舌部（３）は、前記舌部用溝部（５）の側壁（５ａ，５ｂ）に前記挿入溝部（４）の側壁（４ａ，４ｂ）が整列した際に、前記第１パネル（１）の主面（ＭＰ−１）に垂直な方向で、前記第１パネル（１）及び第２パネル（２）の係止状態を得るために、伸長し、且つ前記挿入溝部（４）から前記舌部用溝部（５）の内部に移動するように構成されている、
請求項１乃至１３のいずれかに記載の一組のパネル。
【請求項１５】
前記別箇の可撓性舌部（３）は、前記別箇の可撓性舌部（３）の短縁にガイド突起（１０）を有し、前記ガイド突起（１０）は、前記第１パネル及び第２パネルの係止及び／又は解除状態の間に、その形状が変化するように構成され、前記ガイド突起（１０）は、湾曲した形状であるとともに、ロッド形状工具（９）が前記挿入溝部（４）に挿入されると、前記ロッド形状工具（９）を前記舌部用溝部（５）内へガイドするように構成されている
請求項１乃至１４のいずれかに記載の一組のパネル。
【発明の詳細な説明】
【技術分野】
【０００１】
本開示は、建材パネル用の機械的係止システム、特に、機械的係止システムを有する家具部品の分野に関し、家具部品は互いに直交して又は平行に係止されることが意図されている。
【０００２】
本発明の実施形態は、特に家具部品への利用に適している。家具部品は、好適には、シート状パネルから形成されるとともに、パネルに一体とされた、すなわち工場で取り付けられた係止システムにより機械的に接合される。したがって、公知技術、公知システムの問題、及び本発明の課題及び特徴に関する以下の説明は、非制限的な例として、中でもこの応用分野を目的とするものであり、特に、矩形又は正方形のパネルとして形成されたパネルであって、一対の対向する縁部において他の隣接するパネルに直交して又は平行に機械的に接合されることが意図されたパネルとして形成された家具部品を目的とするものである。
【０００３】
本発明は、例えば木材系ＨＤＦ、パーチクルボード、ベニヤ板、プラスチックシート状材料、鉱物繊維及び金属系材料、石材、セラミック、及びこれらの類似物等のあらゆるタイプのシート状パネルに適用可能であることが強調されなければならない。本発明は、家具部品、床パネル、箱を梱包する要素、及びこれらの類似物を組立てたり分解したりするように利用され得る。また、本発明は、例えばテーブルの脚等の円筒形状を有する部品を係止したり係止解除したりするためにも利用され得る。
【背景技術】
【０００４】
食器棚、本棚、引出、テーブル及びこれらの類似物等の家具は、一般に、輸送費用を節約すべくフラットな部品として供給される。顧客がこれらを組立てなければならない。接着剤、釘、ねじ及びこれらの類似物等のいくつかの手法がこのような家具部品を組み立てるために利用される。プラスチック部品を備えたスナップ連結部は、例えば引出を連結するために広く使用されている。組立てられた家具部品を、簡単な方法で部分的に又は完全に再び分解できれば有利である。組立の際の手違いを修正したり、ある部屋から他の部屋の移動に関して家具を再びフラットな部品へと分解することが可能となる。単純且つ容易に分解できることは、家具部品が工場で組立てられる場合においても有利である。
【０００５】
ＷＯ２０１２／１５４１１３号から、家具部品を直交スナップ動作によって機械的に係止できることが知られている。図１ａは、第１パネル１及び第２パネル２を示す。第１パネル１は、パネルコア７に形成された溝部６を備えている。溝部壁のうちの１つに形成された挿入溝部４が可撓性舌部３を備えており、この可撓性舌部３は、第２パネル２の縁部が溝部６内へと移動すると舌部用溝部５に係止する。図１ｂは、床パネルを連結するために使用される公知の可撓性逆立ち状舌部３を示す。このような舌部は、また、家具部品を連結するためにも使用される。舌部３は、スナップ動作中に舌部の長さ方向において撓むとともに舌部を挿入溝部４内に移動させる可撓性突起８を備えている。図１ｂは、外側係止位置にある舌部３を示している。
【０００６】
図１ｃ及び１ｄは、係止システムが分解され得ることを示している。ロッド状スティック９を舌部用溝部３に側方から挿入する。可撓性舌部３は、押し返されて挿入溝部４に入り込み、第２パネル２を第１パネル１から解放することができる。
【０００７】
このような分解の主たる問題点は、ロッド状スティック９を正しい位置に入れて、且つ舌部用溝部５に正確に挿入しなければならないことである。ロッド状スティックが挿入溝部４に挿入された場合、分解は不可能である。
【発明の概要】
【０００８】
本発明の実施形態の基本的な目的は、可撓性舌部により互いに直交して係止されたパネルの分解を単純化することである。
【０００９】
本発明の実施形態の上記目的は、より強力でありながらより簡易な係止及び係止解除を提供する独立請求項による機械的係止システム及びパネルによって全体的に又は部分的に達成される。本発明の実施形態は、従属請求項から、そして発明の詳細な説明及び図面から明らかになる。
【００１０】
本発明の第１態様は、第１パネルと第２パネルとを備えた一組のパネルである。第１パネルと第２パネルとの機械的連結を得るように、第２パネルのパネル縁部が第１パネルのコア溝部に挿入可能である。第１及び第２パネルが互いに本質的に直交して配設されているときの第１及び第２パネルの本質的に直線的な相対移動によって、パネル縁部はコア溝部に挿入可能である。パネル縁部は別箇の可撓性舌部を備えるとともにコア溝部は舌部用溝部を備えており、又は、パネル縁部は舌部用溝部を備えるとともにコア溝部は別箇の可撓性舌部を備えている。第１パネルの主面（ＭＰ−１）に対して直交する第１方向においてパネルを互いに連結するように、別箇の可撓性舌部は舌部用溝部に挿入可能である。第２パネルの主面（ＭＰ−２）に対して直交する第２方向においてパネルを互いに連結するように、第２パネルのパネル縁部は、第１パネルのコア溝と協働する（掛かり合う）ように構成されている。別箇の可撓性舌部の長手方向は、パネル縁部及び／又はコア溝部に対して平行に延在している。別箇の可撓性舌部は挿入溝部に配設されていて、第１及び第２パネルの係止中に、挿入溝部の底部に向かって内方に、そして舌部用溝部内へと外方に移動可能である。別箇の可撓性舌部は、ガイド突起を別箇の可撓性舌部の短縁に備え、ガイド突起は、第１及び第２パネルの係止及び／又は係止解除中に、その形状が変化するように構成されている。
【００１１】
本発明の概念により、パネルは改良された単純な態様で分解され得る。
【００１２】
好適には、一組のパネルにおけるパネルは、本質的に平行六面体として、より具体的には矩形平行六面体として形成される。
【００１３】
各パネル、具体的には第１及び第２パネルは、下側面と上側面とを備え得る。好適には、下側面及び上側面は、矩形又は正方形として成形されるとともに平坦である。下側面及び上側面は、平行であり得る。一例において、パネルは均一な厚さを有している。別の例において、パネルは非均一な厚さを有している。更に別の例において、パネルは２つ以上の部分を有し、それぞれは均一な厚さを有している。パネルの下側面及び上側面は、パネルの主面に対して平行であり得る。特に、パネルの主面は、パネルの下側面又は上側面と一致し得る。更に、各パネルは、上側面と下側面とを連結し得る側縁を備え得る。平行六面体として形成されたパネルの場合、二対の側縁が存在するであろう。好適には、一対の側縁のそれぞれにおける少なくとも２つの側縁の一部同士が平行である。
【００１４】
一例において、パネルの密度は均一である。別の例において、パネルの密度は、パネルの中央部よりも上側面及び／又は下側面に近接した位置においてより高い。
【００１５】
第１方向は、第２パネルの主面に対して平行であり得る。更に、第２方向は、第１パネルの主面に対して平行であり得る。
【００１６】
パネルのパネル縁部は、パネルの側縁の少なくとも一部を備え得る。また、パネル縁部は、側縁の近傍のパネルの下側面の一部及び上側面の一部を備え得る。パネル縁部の形状は、コア溝部の形状に実質的に一致し得る。したがって、第２パネルはしっかりとフィットした態様で第１パネルに係合し得る。特に、パネル縁部とコア溝部は、本質的にＵ字形状である。選択的に、パネル縁部及び／又はコア溝部の隅部は勾配を付けられ得る。
【００１７】
ここで、別箇の可撓性舌部の短縁とは、別箇の可撓性舌部の長手方向における縁を意味している。
【００１８】
別箇の可撓性舌部は、ガイド突起として形成された外側縁部分を備え得る。
【００１９】
ガイド突起は、係止中に挿入溝部の内部に接触し得る。
【００２０】
特に、第１及び第２パネルの係止状態において、ガイド突起は、挿入溝部の内部に接触し得る。
【００２１】
或いは、第１及び第２パネルの係止状態において、挿入溝部の内部とガイド突起との間にはスペースが存在し得る。スペースは、好適には、挿入溝部の内部に向かう方向に沿った係止動作中の別箇の可撓性舌部の移動距離より小さい。
【００２２】
ガイド突起は湾曲した形状であるとともに、ロッド形状工具が挿入溝部に挿入されると、このロッド形状工具を舌部用溝部内へガイドするように構成されている。ここで、湾曲した形状とは、ガイド突起の少なくとも一部が湾曲として成形されているということを意味している。湾曲は、非ゼロ曲率を有し得る。特に上面図から理解されるように、ガイド突起の外側面が、湾曲として成形され得る。曲率は、好適には、ガイド突起の外側面の接線方向と、ロッド形状工具の長手方向との間に形成される角度が鋭角であるようなものとされる。具体的には、この角度は１°乃至８９°であり得る。ガイド突起は湾曲した形状であるため、ガイド突起の先端に向かう方向において、当該鋭角はガイド突起に沿って変化し得る。例えば、当該鋭角はガイド突起の先端に向かって拡大し得る。
【００２３】
別の実施形態によれば、ガイド突起は、少なくとも１つの直線部分を備えている。上面図から理解されるように、各直線部分は舌部の長手方向に対して傾斜し得る。一例において、ガイド突起は１つの直線部分を備えている。別の例において、ガイド突起は、少なくとも２つの直線部分を備えている。後者の例において、好適には、直線部分は並置されている。舌部の長手方向に対する角度は、異なる直線部分で異なっていてもよい。例えば、当該角度は、各直線部分によってガイド突起の先端に向かって拡大し得る。
【００２４】
一例において、ガイド突起の先端に向かう方向に沿ったガイド突起の断面は一定である。別の例において、ガイド突起の断面はテーパしている。更に、非制限的な例において、先端に向かう方向に沿ったガイド突起の断面は、円形、楕円形、多角形、矩形、正方形、又は三角形として成形され得る。
【００２５】
ガイド突起は可撓性であり得る。より一般的には、ガイド突起の少なくとも一部が可撓性であり得る。
【００２６】
ロッド形状工具は、本質的に丸い断面を備え得る。具体的には、当該断面は、円形又は楕円形として成形され得る。円形のような回転対称断面を有することにより、ロッド形状工具を溝に挿入する際のその適切な配向が重要でなくなるであろう。これにより、パネルの分解が更に簡単になるであろう。
【００２７】
別箇の可撓性舌部は、舌部の長さ方向に延在する複数の可撓性突起を備え得る。
【００２８】
挿入溝部が、第１パネルのコア溝部に形成され得る。
【００２９】
パネル縁部が舌部用溝部を備えるとともにコア溝部が別箇の可撓性舌部を備えている場合、舌部用溝部は、第１パネルの下側面に又は上側面に配設され得る。具体的には、舌部用溝部は、第２パネルの下側面又は上側面において、第２パネルの側縁に近接して配設され得る。
【００３０】
更に、パネル縁部が舌部用溝部を備えるとともにコア溝部が別箇の可撓性舌部を備えている場合、挿入溝部はコア溝部に形成され得る。コア溝部は、２つの側壁と底壁とを備え得る。コア溝部の２つの側壁は平行であり得る。一実施形態において、挿入溝部は、コア溝部の側壁に配設され得る。可撓性舌部の少なくとも一部の形状は、挿入溝部の形状に実質的に一致し得る。具体的には、可撓性舌部及び挿入溝部は、本質的にＵ字形状であり得る。挿入溝部は、２つの側壁と底壁とを備え得る。挿入溝部の側壁は平行であり得る。第１例において、挿入溝部の底壁は平坦である。第２例において、挿入溝部の底壁は丸みを帯びている。挿入溝部は、第１パネルの下側面及び／又は上側面に対して傾斜され得る。非制限的な例において、挿入溝部の側壁と第１パネルの下側面及び／又は上側面との間の角度は、５°乃至４５°であり得る。
【００３１】
舌部用溝部は、２つの側壁と底壁とを備え得る。舌部用溝部の側壁は平行であり得る。第１例において、舌部用溝部の底壁は平坦である。第２例において、舌部用溝部の底壁は丸みを帯びている。舌部用溝部は、第２パネルの下側面及び／又は上側面に対して傾斜され得る。非制限的な例において、舌部用溝部の側壁と第２パネルの下側面及び／又は上側面との間の角度は、４５°乃至８５°であり得る。舌部用溝部の傾斜は、挿入溝部の傾斜に一致し得る。これにより、第１及び第２パネルの連結状態において、舌部用溝部の平行な側壁と挿入溝部の平行な側壁は、本質的に互いに整列する。
【００３２】
本発明の第２態様は、第１パネルと第２パネルとを備えたパネルの係止のための係止システムである。第１パネルと第２パネルとの機械的連結を得るように、第２パネルのパネル縁部が、第１パネルのコア溝部に挿入可能である。第１及び第２パネルが互いに本質的に直交して配設されているときの第１及び第２パネルの本質的に直線的な相対移動によって、パネル縁部はコア溝部に挿入可能である。係止システムは、コア溝部に形成された挿入溝部に配設された別箇の可撓性舌部と、パネル縁部にある舌部用溝部と、を備えている。舌部用溝部は、別箇の可撓性舌部の一部を収容するように適合されている。別箇の可撓性舌部は、ガイド突起を別箇の可撓性舌部の短縁に備えている。ガイド突起は、ロッド形状工具が舌部用溝部の少なくとも一部に挿入されると、その形状が変化するように構成されている。
【００３３】
ロッド形状工具は、本質的に丸い断面を備え得る。
【００３４】
本発明は、ロッド形状工具を、側方から、通常舌部用溝部よりも大きい挿入溝部に挿入すると、工具が自動的にガイド突起によって舌部用溝部にガイドされるという利点を提供する。ロッド形状工具は単純な丸い断面を有し得る。そして、溝部への挿入に際して工具を正確に配向しなくてよくなる。これにより、係止されたパネルの簡単且つ単純な分解が容易となる。
【００３５】
本発明の第３態様によれば、第１パネルと第２パネルとを備えた一組のパネルが提供される。第１パネルと第２パネルとの機械的連結を得るように、第２パネルのパネル縁部が第１パネルのコア溝部に挿入可能であり、第１及び第２パネルが互いに本質的に直交して配設されているときの第１及び第２パネルの本質的に直線的な相対移動によって、パネル縁部はコア溝部に挿入可能である。更に、パネル縁部は別箇の可撓性舌部を備え、コア溝部は舌部用溝部を備えている。第１パネルの主面に直交する第１方向においてパネルを互いに連結するように、別箇の可撓性舌部は舌部用溝部に挿入可能である。第２パネルの主面に直交する第２方向においてパネルを互いに連結するように、第２パネルのパネル縁部は第１パネルのコア溝部と協働するように構成されている。別箇の可撓性舌部の長手方向は、パネル縁部及び／又はコア溝に対して平行に延在している。別箇の可撓性舌部は挿入溝部に配設されていて、第１及び第２パネルの係止中に、挿入溝部の底部に向かって内方に、そして前記舌部用溝部内へと外方に移動可能である。別箇の可撓性舌部を挿入溝部の底部に向かって内方に移動させつつ第１及び第２パネルを係止する際に、コア溝部の係合部が、別箇の可撓性舌部と係合するように配設されており、前記係合部は勾配を付けられている。
【００３６】
勾配係合部は、第２パネルの上側面又は下側面に、又はその近傍に設けられた上方勾配係合部であり得る。
【００３７】
勾配係合部は、第１パネルの上部であって、第１パネルの中央部より高い密度を有する上部に設けられ得る。
【００３８】
勾配係合部は、コア溝部の側壁と第１パネルの下側面又は上側面との間に設けられ得る。具体的には、勾配係合部は、コア溝部の側壁と第１パネルの下側面又は上側面とを接合し得る。
【００３９】
第２パネルは、第１及び第２パネルの係止状態において勾配係合部と係合する重複部を備え得る。
【００４０】
第２パネルの厚さは、パネル縁部において、第２パネルの、第１及び第２パネルの係止状態において目に見える可視部より小さくてもよい。
【００４１】
パネル縁部の下縁側面と平行上縁側面との間の距離が、下側面と平行上側面との間の距離より小さくてもよく、下縁側面及び上縁側面は、下側面及び上側面よりも第２パネルの側縁に近接して配置されている。
【００４２】
挿入溝部は、パネル縁部の下縁側面に又は上縁側面に設けられ得る。或いは、挿入溝部は、第２パネルの下側面に又は上側面に設けられ得る。
【００４３】
本発明の第４態様によれば、第１パネルと第２パネルとを備えた一組のパネルが提供される。第１パネルと第２パネルとの機械的連結を得るように、第２パネルのパネル縁部が第１パネルのコア溝部に挿入可能であり、第１及び第２パネルが本質的に同一平面ＭＰ−１に配設されているときの第１及び第２パネルの本質的に直線状の相対移動によってパネル縁部はコア縁部に挿入可能である。更に、パネル縁部は別箇の可撓性舌部を備えるとともにコア溝部は舌部用溝部を備えており、又は、パネル縁部は舌部用溝部を備えるとともにコア溝部が別箇の可撓性舌部を備えている。別箇の可撓性舌部は、第１パネルの主面に対して平行な第１方向においてパネルを互いに連結するために、舌部用溝部に挿入可能である。第２パネルの主面に直交する第２方向においてパネルを互いに連結するように、第２パネルのパネル縁部は第１パネルのコア溝部と協働するように構成されている。別箇の可撓性舌部の長手方向は、パネル縁部及び／又はコア溝に対して平行に延在している。更に、別箇の可撓性舌部は挿入溝部に配設されていて、第１及び第２パネルの係止中に、挿入溝部の底部に向かって内方に、そして舌部用溝部内へと外方に移動可能である。別箇の可撓性舌部は、ガイド突起を別箇の可撓性舌部の短縁に備えており、ガイド突起は、第１及び第２パネルの係止及び／又は係止解除中にその形状が変化するように構成されている。
【００４４】
ガイド突起は、更に、係止中に挿入溝部の内部に接触するように構成され得る。
【００４５】
ガイド突起は湾曲した形状であるとともに、ロッド形状工具が挿入溝部に挿入されると、ロッド形状工具を舌部用溝部内へガイドするように構成されている。
【００４６】
ロッド形状工具は、本質的に丸い断面を備え得る。
【図面の簡単な説明】
【００４７】
【図１ａ】公知技術を示す図。
【図１ｂ】公知技術を示す図。
【図１ｃ】公知技術を示す図。
【図１ｄ】公知技術を示す図。
【図２ａ】一実施形態による係止状態のパネルの分解を示す図。
【図２ｂ】一実施形態による係止状態のパネルの分解を示す図。
【図２ｃ】一実施形態による係止状態のパネルの分解を示す図。
【図２ｄ】一実施形態による係止状態のパネルの分解を示す図。
【図３ａ】別箇の可撓性舌部を示す図。
【図３ｂ】別箇の可撓性舌部を示す図。
【図３ｃ】別箇の可撓性舌部を示す図。
【図３ｄ】別箇の可撓性舌部を示す図。
【図４ａ】他の実施形態によるパネルの組立及び分解を示す図。
【図４ｂ】他の実施形態によるパネルの組立及び分解を示す図。
【図４ｃ】他の実施形態によるパネルの組立及び分解を示す図。
【図５ａ】一実施形態による、同一の主面に配置されたパネルの組立及び分解を示す図。
【図５ｂ】一実施形態による、同一の主面に配置されたパネルの組立及び分解を示す図。
【図５ｃ】一実施形態による、同一の主面に配置されたパネルの組立及び分解を示す図。
【図５ｄ】一実施形態による、同一の主面に配置されたパネルの組立及び分解を示す図。
【発明を実施するための形態】
【００４８】
理解を容易にするために、図面中のいくつかの係止システムが概略的に示されている。好適な実施形態の組合せを用いて、より良い又は別の機能が達成されることが強調しておく。
【００４９】
図２ａ乃至２ｄは、本実施形態により互いに連結された第１パネル１と第パネル２とを示す。第１パネル１は、この第１パネル１の上側面１ｂに配設されたコア溝部６を備えている。コア溝部６は、２つの対向する側壁６ａ、６ｂと、底壁６ｃとを備えている。対向する側壁６ａ、６ｂは平行である。第２パネル２は、パネル１、２の係止状態においてコア溝部６に配設されるパネル縁部１２を備えている。より具体的には、第２パネルの下側面２ａの一部、上側面２ｂの一部、及び側縁部２ｃが、コア溝部６に配設される。パネル１、２は、別箇の可撓性舌部３によって互いに係止され得る。
【００５０】
図２ａは、係止位置にある可撓性舌部３の上面図である。可撓性突起８を備えた可撓性舌部３の一部が、挿入溝部４に配置されている。公知技術によれば、対向する部分が舌部用溝５に配置されている。可撓性舌部３は外側縁部分３ａを備えている。外側縁部分３ａは、ロッド状工具９が挿入溝部４に側方から挿入されると自動的に工具９を舌部用溝部５にガイドするガイド突起１０として形成されている。ガイド突起１０は、舌部３の短縁に配設されている。対応するガイド突起１０が、舌部３の他方の短縁（図示せず）に配設され得ることが理解される。
【００５１】
図２ｂは、舌部３が挿入溝４に押し込まれるようにロッド状工具９を側方から舌部３の長さ方向に対して平行に移動させているときに、可撓性のガイド突起が変形する様子を示している。係止中、及び舌部が挿入溝に押し込まれるときに、可撓性のガイド突起１０が挿入溝４の内部に接触していれば有利である。ガイド突起１０は好適には可撓性を有しており、且つ好適には湾曲した縁部分として形成されている。
【００５２】
図２ｃは、係止システムの側面図である。本実施の形態によれば、第１パネル１の主面ＭＰ−１が、第１パネル１の上側面１ｂに一致している。更に、第２パネル２の主面ＭＰ−２が、図２ｃに示すように、左側に位置している第１パネル２の下側面２ａに一致している。ロッド状工具９は、好適には、本質的に丸い断面を有している。本実施形態によれば、ロッド状工具９の断面は円形である。更に、ロッド状工具９の幅は、２つの平行な側壁５ａ、５ｂの間における舌部用溝部５の幅に一致している。本実施形態によれば、２つの側壁を連結する舌部用溝部５の底壁５ｃは丸みを帯びている。丸みを帯びた底壁５ｃの曲率は、ロッド状工具９の曲率に実質的に一致している。したがって、ロッド状工具９に対する良好なガイド動作が提供され得る。本実施形態において、ロッド状工具９は、舌部用溝部５の内部に嵌合するように適合されており、これにより、ロッド状工具９の本質的にいずれの部分も第２パネル２の下側面２ａの外部に延出しない。したがって、パネル１、２は簡単に分解され得る。なぜならば、舌部３が挿入溝４へと移動する際にロッド状工具９は舌部用溝部５の内部に嵌合し得るからであり、これにより第１パネル及び第２パネル２との機械的連結が解放される。図２ｄは、本実施形態による第１パネル１と第２パネル２との分解を示している。
【００５３】
ロッド状工具９及び舌部用溝部５の他の形状が同様に想定され得ることが、明らかである。例えば、ロッド状工具９の断面は、多角形、矩形、正方形、楕円形、三角形又は星形として成形されてもよい。また、他の実施形態によれば、底壁はロッド状工具９の形状に一致していなくてもよい。例えば、ロッド状工具９の断面は円形であってもよく、舌部用溝部５の断面は、例えば平面的な底壁を備えたＵ字形状であってもよい。
【００５４】
また、挿入溝部４は第２パネル２に形成され得るとともに、舌部用溝部５は第１パネル１のコア溝６に形成され得る。これについて以下により詳細に説明する。
【００５５】
上述の実施形態は、工具９の挿入が、挿入溝４及び舌部用溝５を含む全体的な断面において実施されるという利点を提供する。対称的な断面の利用により、溝への挿入前に工具９を正確に配向しなくてもよくなる。
【００５６】
ロッド状工具９のガイド動作が図２ａ及び２ｃに示されている。破線が、ロッド状工具９の挿入溝４への挿入時の位置を示し、矢印がロッド状ツール９が舌部用溝部５内へと図示の方向においてガイドされる様子を示している。
【００５７】
図３ａは、いくつかの射出成形された熱可塑性の可撓性舌部３を備えた舌部ブランク１１を示している。舌部は、好適には、ブランク１１から、内側に配置されるとともに舌部３の外側縁部から距離を置いた離間部Ｓにおいて離間している。
【００５８】
図３ｂは、ガイド突起１０を可撓性突起８のうちの１つに代え得ることを示している。これにより、全ての可撓性突起８が舌部に沿って舌部の長さ方向に配置されるとともに、ガイド突起１０から長さ方向において離間している。
【００５９】
図３ｃは、他のタイプの舌部、例えば外側部分にスナップタブ１３を備えた可撓性舌部が使用される場合にも本発明の原理を利用して分解を改善し得ることを示している。可撓性のスナップタブ１３を備えた係止システムは、本質的に丸い断面を有する工具９を使用して第１パネルと第２パネルとを解放するように形成され得る。
【００６０】
図３ｄは、スナップタブ１３を備えた舌部３が、内側部分において対称的な断面と、楔状縁部分１４となるように切断又は形成され得る縁部分とを備え得ることを示している。可撓性舌部は、可撓性のスナップタブと、その長さ方向に沿った非対称的な断面とを備え得る。
【００６１】
特に、可撓性舌部３は、可撓性舌部３の縁部に向かって長手方向にテーパ状となっていてもよい。したがって、可撓性舌部３の断面積は、縁部に向かって減少してもよい。また、断面の内側部分から断面の外側部分に至る最大水平距離は、縁部に向かって減少していてもよい。ここで、水平距離は、可撓性舌部３が接触且つ伸張するように適合された方向において測定される。例えば、水平距離は、可撓性のスナップタブ１３が接触且つ伸張するように適合された方向において測定され得る。図３ｄによる実施形態に示すように、可撓性スナップタブ１３の断面は、縁部に向かって減少している。可撓性スナップタブ１３の一部分１３ａが、テーパした縁部を提供するように可撓性舌部３から切り欠かれている。
【００６２】
次に、図４ａ乃至４ｃを参照して別の実施形態を説明する。図４ａ及び４ｂは、組立て中の第１パネル１及び第２パネル２の側面図である。図４ａ乃至４ｃにおいて、第１パネル１は水平方向に延在し、第２パネル２は鉛直方向に延在していることが理解され、第１パネル１と第２パネルとの連結領域のみが示されている。第１パネル１及び第２パネル２は、本質的に互いに直交するように配設されている。
【００６３】
本実施形態によれば、第１パネル１は、上部３０、中央部３２及び下部３４の３つの部分を備えている。上部３０及び下部３４は、上側面１ｂ及び下側面１ａにそれぞれ近接して配置され、中央部３２より高い密度を有している。
【００６４】
コア溝部６は、２つの対向する側壁６ａ、６ｂ、及び底壁６ｃを備えている。コア溝部６は、舌部用溝部５を備えている。舌部用溝部５は、舌部用溝部５の側壁６ａに設けられている。したがって、舌部用溝部５は、コア溝部６の左側に配置された、第１パネル１の左側部２１ａに設けられている。更に、舌部用溝部５は、２つの平行な側壁５ａ、５ｂ、及び底壁５ｃを備えている。図４ａ乃至４ｃの側面図から理解されるように、下側壁５ａの延長直線Ｅが、コア溝部６の右側に配置された、第１パネル１の右側部２１ｂにおいて又はその上方に位置している。したがって、切断工具等の工具により、工具を直線状に移動させることによって簡単に舌部用溝部５が設けられ得る。
【００６５】
コア溝部６の係合部２０は勾配を付けられている。勾配係合部２０は、側壁６ａの上部と第１パネル１の上側面１ｂとの間に設けられて、これらを接合している。或いは、コア溝部６の係合部２０は、丸みを付けられていてもよい。
【００６６】
更に、第２パネル２のパネル縁部１２は、パネル２の内側部よりも小さい厚さを有している。ここで、内側部とは、パネル縁部１２よりも第２パネル２の側縁２ｃから離れた位置にある。より具体的には、パネル縁部１２は、下縁側面２２ａと上縁側面２２ｂとを備えている。下縁側面２２ａと上縁側面２２ｂとは、互いに平行であるとともに、第２パネル２の下側面２ａ及び上側面２ｂよりも、第２パネルの側縁２ｃに近接している。図４ｃに示すように、下縁側面２２ａと上縁側面２２ｂとの間の距離ｄ１は、下側面２ａと上側面２ｂとの間の距離ｄ２より小さい。
【００６７】
下縁側面２２ａは、重複部２４により下側面２ａに接合されている。本実施形態によれば、重複部２５により第２パネル２の上側面２ｂに接合された対応する上縁側面２２ｂが存在している。コア溝部６の勾配係合部２０と勾配面２７とにそれぞれ係合した第１パネルと第２パネル２の、組立てられた状態にある又は係止位置にある重複部２４、２５により、パネル縁部１２及び／又はコア溝部６を、より目に見えないようにすることができる。
【００６８】
パネル縁部１２は、別箇の可撓性舌部３を備えている。別箇の可撓性舌部３は、収縮状態と伸張状態とをとり得るとともに、力が作用していない場合には伸長状態をとる性質を有している。別箇の可撓性舌部３は、パネル縁部１２の下縁側面２２ａに設けられた挿入溝部４に配設されている。別箇の可撓性舌部３は、面取部２３を備えている。別箇の可撓性舌部３が挿入溝部４に挿入されるとき、面取部２３は下方を向いている。
【００６９】
第１パネル１と第２パネルとを組立てる場合、第１パネルと第２パネルとの相対的な鉛直方向移動により、第２パネル２のパネル縁部１２を第１パネル１のコア溝部６に挿入する。移動は直線的である。別箇の可撓性舌部３は、挿入溝部４に部分的に挿入されているが、鉛直方向移動中に面取部２３が勾配係合部２０に係合すると挿入溝部４の内部へ更に移動する。勾配係合部２０により、面取部２３は組立に際して平滑な表面と係合する。したがって、面取部２３が組立中に尖った縁部に係合することが回避され得る。更に挿入溝部４の内部へと移動すると、別箇の可撓性舌部３は収縮状態となる。挿入溝部４の側壁４ａ、４ｂが舌部用溝部５の側璧５ａ、５ｂと整列すると、別箇の可撓性舌部３は伸長して挿入溝部４から出て舌部用溝部５に入るように移動して、これにより、第１パネルの主面ＭＰ−１に直交する方向における第１パネル１及び第２パネル２の係止が得られる。
【００７０】
コア溝部６は、側壁６ａと底壁６ｃとの間、及び側壁６ｂと底壁６ｃとの間に傾斜部１６を備えている。更に、パネル縁部１２は、下縁側面２２ａと第２パネル２の側縁２ｃとの間の勾配部２６と、上縁側面２２ｂと第２パネルの側縁２ｃとの間の勾配部２６と、を備えている。傾斜部１６の形状は、勾配部２６の形状と実質的に一致していてもよい。例えば、傾斜部１６と勾配部２６の傾斜は実質的に同じである。勾配部２６は、縁側面２２ａ、２２ｂと側縁２ｃとの間の尖った隅部を除去し得る。また、勾配部２６は、第２パネル２を適切な係止位置へとガイドし得る。
【００７１】
パネル１、２の係止状態において、第２パネル２の主面ＭＰ−２に直交する方向である第２方向においてパネル同士を互いに連結するように、パネル縁部１２はコア溝部６と協働する。
【００７２】
図４ｂから、第１パネルと第２パネル２の係止状態において、第１パネル１及び第２パネル２の目に見える外側部分が均一な厚さを有していることが明らかである。
【００７３】
別の実施形態によれば、第２パネル２は均一な厚さを有し得ることが理解される。
【００７４】
図４ｃは、分解中の第１パネル１と第２パネル２の側面図である。これは、図２ａ乃至２ｄについて説明した分解方法と類似している。特に、分解に際して、ロッド形状工具９が側方から挿入溝部４に挿入されて、別箇の可撓性舌部３の短縁に設けられたガイド突起１０によって舌部用溝部５の適切な位置へとガイドされる。ロッド形状工具９が舌部用溝部５に挿入されると、別箇の可撓性舌部３は挿入溝部４内へと移動する。したがって、パネル２は係止解除されて、パネル縁部１２は、第１パネル１と第２パネル２の相対的な直線鉛直方向移動によってコア溝部６から取り外され得る。
【００７５】
図５ａ乃至５ｄは、係止状態において同一の主面ＭＰ−１に配置される第１パネルと第１パネル２との係止及び係止解除に使用され得る係止システムを示している。換言すれば、パネルは、互いに本質的に平行に配設される。このような係止システムは、例えば０．６ｍの長さを有し、係止後に例えば１．２又は１．８ｍの長さを有する本棚の部品を形成するような、２つ又は複数個の家具部品を係止するために使用され得る。このようなタイプの係止システムを提供する利点は、小型の部品は輸送や組立及び分解が容易であるということである。他の長さを有する家具部品が想定され得ることが明らかである。非制限的な例において、長さは、０．１ｍ乃至１．０ｍである。
【００７６】
本実施形態において、第１パネル１と第２パネルは同一の厚さを有している。
【００７７】
第１パネル１はコア溝６と舌部用溝部５とを備え、第２パネル２はパネル縁部１２を備えている。パネル縁部１２は、第１及び第２パネルの主面ＭＰ−１に平行な移動によってコア溝部６に挿入可能である。パネル縁部１２は、挿入溝部４に設けられた別箇の可撓性舌部３を備えている。パネルの係止状態において、別箇の可撓性舌部３は、舌部用溝部５内に係止する。
【００７８】
別の実施形態（図示せず）によれば、舌部用溝部５が第２パネル２に設けられ得るとともに、別箇の可撓性舌部３が第１パネル１に設けられ得る。
【００７９】
係止された部品の十分な剛性を提供するために、係止システムは強固でなくてはならない。好適には、パネル１、２が係止されたとき、第１パネル１の上縁３０ａ及び下縁３１ａと、第２パネル２の上縁３１ｂ及び下縁３１ｂが互いに接触する。
【００８０】
本実施形態によれば、第１及び第２パネルの係止状態において、パネル縁部１２の側面がコア溝部６の底壁に係合する。これは図５ｃにおいて理解され得る。また、係止状態において、パネル縁部１２の上面及び下面が、コア溝部６の２つの対向する側壁のそれぞれと係合する。しかしながら別の実施形態（図示せず）によれば、第１及び第２パネルの係止状態において、パネル縁部１２の側面はコア溝部６の底壁から離間していてもよい。
【００８１】
第１パネル１は、係合部４０を備えている。別箇の可撓性舌部３を挿入溝部４の底部に向けて内側に移動させつつ第１及び第２パネルを係止する際に、係合部４０は別箇の可撓性舌部３に係合するように配設されている。係合部４０は、第１及び第２パネルの主面ＭＰ−１に対して傾斜している。更に、係合部４０は、舌部用溝部５に隣接する部分４２において勾配を付けられている。
【００８２】
図５ｄは、上述の方法による、ロッド形状工具９を用いた第１及び第２パネルの係止解除を示している。別箇の可撓性舌部３は、ガイド突起１０として形成された外縁部３ａを備えている。工具９が側方から挿入溝部４に挿入されると、ガイド突起１０は自動的にロッド形状工具９を舌部用溝部５内へガイドする。
【図１ａ】
0006605501.tif 000002
【図１ｂ】
0006605501.tif 000003
【図１ｃ】
0006605501.tif 000004
【図１ｄ】
0006605501.tif 000005
【図２ａ】
0006605501.tif 000006
【図２ｂ】
0006605501.tif 000007
【図２ｃ】
0006605501.tif 000008
【図２ｄ】
0006605501.tif 000009
【図３ａ】
0006605501.tif 000010
【図３ｂ】
0006605501.tif 000011
【図３ｃ】
0006605501.tif 000012
【図３ｄ】
0006605501.tif 000013
【図４ａ】
0006605501.tif 000014
【図４ｂ】
0006605501.tif 000015
【図４ｃ】
0006605501.tif 000016
【図５ａ】
0006605501.tif 000017
【図５ｂ】
0006605501.tif 000018
【図５ｃ】
0006605501.tif 000019
【図５ｄ】
0006605501.tif 000020